(57)【要約】【課題】蚊取線香燻煙容器の容器本体の底板が使用時に高温になるのを防止し、且つ容器本体側の蚊取線香支持マットの洗浄も容易に行えるようにする。【解決手段】容器本体１の周壁部３の中間高さに、外側段部７ａとこの外側段部７ａより一段低い内側段部７ｂとが設けられ、この容器本体１側の蚊取線香支持マット４は、前記内側段部７ｂに嵌合する補強用リング部材５ｂで周囲が補強されたネット材５ａで構成されて、容器本体１に対し着脱自在に構成されている。【選択図】図１
2006314270.tif 000002
【特許請求の範囲】
【請求項１】
底板側の小径周壁部から外広がりの段部を介して大径周壁部が連設され且つ内側に蚊取線香支持マットを備えた容器本体と、排煙孔を有すると共に内側にネットを備え且つ容器本体の前記大径周壁部内に周壁部が嵌合係止される着脱自在な蓋とから成り、容器本体側の蚊取線香支持マットと蓋側のネットとの間で蚊取線香を挟むように構成された蚊取線香燻煙容器であって、容器本体の前記外広がりの段部は、大径周壁部側の外側段部とこの外側段部より一段低い小径周壁部側の内側段部とから構成され、前記容器本体側の蚊取線香支持マットは、前記外広がりの段部の内側段部に嵌合する補強用リング部材が周囲に固着されたネット材から成るもので、容器本体に対し着脱自在に構成されている、蚊取線香燻煙容器。
【請求項２】
前記蚊取線香支持マットの補強用リング部材は、ネット材の周辺を挟持する断面Ｕ字形に形成されている、請求項１に記載の蚊取線香燻煙容器。
【請求項３】
前記蓋側のネットは、その周辺部が当該蓋の周壁部の周縁に形成された張出カーリング部の内側に挟まれて固定されている、請求項１または２に記載の蚊取線香燻煙容器。
【発明の詳細な説明】
【技術分野】
【０００１】
本発明は、容器本体側のネットと排煙孔を有する蓋側のネットとの間で蚊取線香を挟むようにした蚊取線香燻煙容器に関するものである。
【背景技術】
【０００２】
蚊取線香燻煙容器として、底板側の小径周壁部から外広がりの段部を介して大径周壁部が連設され且つ内側に蚊取線香支持マットを備えた容器本体と、排煙孔を有すると共に内側にネットを備え且つ容器本体の前記大径周壁部内に周壁部が嵌合係止される着脱自在な蓋とから成り、容器本体側の蚊取線香支持マットと蓋側のネットとの間で蚊取線香を挟むように構成された蚊取線香燻煙容器が、例えば特許文献１などにより知られている。
【特許文献１】特開平１１−８９５０１号公報
【発明の開示】
【発明が解決しようとする課題】
【０００３】
特許文献１などに開示された従来の蚊取線香燻煙容器では、容器本体側の蚊取線香支持マットは、ガラス繊維などから成る厚い不織布状のマットから成るもので、このマットを容器本体の内側に嵌め込んで接着剤などにより固定した構成であり、ネットと比較して通気性の悪い前記マットが蚊取線香と容器本体の底板との間を埋めているので、このマット部分に燻煙時の発生熱が蓄えられ、容器本体の底板が高温になり、腰に吊り下げて使用するタイプでは、腰が熱く感じられるなどの問題点があった。また、燻煙時に生じるタールがマットに付着して通気性が一層悪くなるので、このマット部分を洗浄することも行われているが、マットが容器本体から取り外せないので、洗浄作業が容易でないばかりでなく、洗浄水が容器本体内に残って後々の使用に差し支えるというような問題点もあった。
【課題を解決するための手段】
【０００４】
本発明は上記のような従来の問題点を解消し得る蚊取線香燻煙容器を提供することを目的とするものであって、その手段を後述する実施形態の参照符号を付して示すと、底板２側の小径周壁部６から外広がりの段部を介して大径周壁部８が連設され且つ内側に蚊取線香支持マット４を備えた容器本体１と、排煙孔１６を有すると共に内側にネット２１を備え且つ容器本体１の前記大径周壁部８内に周壁部１８が嵌合係止される着脱自在な蓋１５とから成り、容器本体１側の蚊取線香支持マット４と蓋１５側のネット２１との間で蚊取線香２２を挟むように構成された蚊取線香燻煙容器であって、容器本体１の前記外広がりの段部は、大径周壁部８側の外側段部７ａとこの外側段部７ａより一段低い小径周壁部６側の内側段部７ｂとから構成され、前記容器本体１側の蚊取線香支持マット４は、前記外広がりの段部の内側段部７ｂに嵌合する補強用リング部材５ｂが周囲に固着されたネット材５ａから成るもので、容器本体１に対し着脱自在に構成されている。
【０００５】
上記構成の本発明を実施するについて、具体的には請求項２に記載のように、前記蚊取線香支持マット４の補強用リング部材５ｂは、ネット材５ａの周辺を挟持する断面Ｕ字形に形成することができる。また、請求項３に記載のように、前記蓋１５側のネット２１は、その周辺部を当該蓋１５の周壁部１８の周縁に形成された張出カーリング部１９の内側に挟んで固定させることができる。
【発明の効果】
【０００６】
上記構成の本発明に係る蚊取線香燻煙容器によれば、容器本体側の蚊取線香支持マットが、当該容器本体の底板から離れて位置するネット材で構成されており、この容器本体側の蚊取線香支持マットで支持される蚊取線香と容器本体の底板との間に、蚊取線香支持マット（ネット材）を介して外界と通じる空間が確実に確保されるので、蚊取線香の燻煙時に発生する熱が容器本体内にこもることが無くなり、従って、容器本体の底板が熱くなることによる種々の問題点を解消できる。しかも、蚊取線香支持マット（ネット材）を容器本体の深さ方向の中間高さに固定的に張設するものと比較して、蚊取線香支持マット（ネット材）が単に容器本体内の一段低い内側段部に載置されているだけで必要に応じて何時でも簡単に取り外せる本発明の構成によれば、当該蚊取線香支持マット（ネット材）の洗浄も簡単容易に行え、洗浄後も容易且つ迅速に確実に乾燥させることができるので、長期間にわたって蚊取線香燻煙容器として良好に使用することができる。
【０００７】
尚、請求項２に記載の構成によれば、容器本体側の蚊取線香支持マットを構成するネット材を確実に補強して必要な剛性を持たせることができるので、取り扱いが容易になる。また、このネット材の周辺と補強用リング材とを結合するために補強用リング材以外の材料（接着剤など）を使用する必要がなく、容器本体側の蚊取線香支持マットを容易且つ安価に構成できる。また、請求項３に記載の構成によれば、蓋側のネットが蓋と一体化されるので、蚊取線香燻煙容器全体として分離可能な部品点数が容器本体と蚊取線香支持マット（ネット材）、及び蓋の３点のみとなり、取り扱いが一層便利になる。
【発明を実施するための最良の形態】
【０００８】
以下に本発明の具体的実施例を添付図に基づいて説明すると、図１、図４及び図５において、１は容器本体であって、円形の底板部２と当該底板部２から片側に突出する周壁部３とから成るもので、１枚の金属板のプレス加工により一体成形されている。４は容器本体１に着脱自在に嵌め込まれる蚊取線香支持マットであって、ガラス繊維などから構成された１枚の円形のネット材５ａと、その周辺に外側から嵌合して周囲を補強する補強用リング部材５ｂとから構成されている。容器本体１の周壁部３は、底板部２に連なる小径周壁部６と大径周壁部８とから構成され、小径周壁部６と大径周壁部８との間には、大径周壁部８側の外側段部７ａと、この外側段部７ａより一段低い小径周壁部６側の内側段部７ｂとが一体に形成され、小径周壁部６の周方向１箇所には、金属線材を曲げ加工して構成した吊下用部材９が取り付けられると共に、大径周壁部８には、周方向４箇所に同一螺旋方向に沿って内側へ突出する蓋係止用突条部１０が一体成形されている。
【０００９】
前記蚊取線香支持マット４の周囲の補強用リング部材５ｂは金属製で断面がＵ字形に形成されたもので、この断面Ｕ字形部分の内側にネット材５ａの周辺が入り込んで挟持固着されている。而して、当該補強用リング部材５ｂは、容器本体１における周壁部３の内側段部７ｂに嵌まり込んで支持される直径に構成されると共に、当該内側段部７ｂ内に丁度納まる程度の厚さに構成されている。
【００１０】
図２は、上記構成の容器本体１と組み合わされる蓋１５を示しており、この蓋１５は、１枚の金属板のプレス加工により成形されたもので、排煙孔１６を多数穿設した円形の天板部１７から容器本体１の小径周壁部６とほぼ同一直径の周壁部１８が連設されており、この周壁部１８の周縁部には、内向きにカールしたカーリング部の全体を外側に張り出すように成形した張出カーリング部１９が形成されている。この張出カーリング部１９の周囲４箇所には、この張出カーリング部１９を押しつぶすようにプレスすることにより外側に突出する被係止突起２０が形成されている。各被係止突起２０の外側辺を通る仮想円の直径は、容器本体１の周壁部３における大径周壁部８の内径より若干小径で、当該大径周壁部８に形成されている前記蓋係止用突条部１０の頂部を通る仮想円の直径より若干大径である。２１はガラス繊維などから構成された１枚の円形のネットであって、当該ネット２１の周辺部を前記張出カーリング部１９の内側に挟み込んで固定することにより、この蓋１５の周壁部１８の周縁部内側に張設されている。
【００１１】
上記構成の容器本体１、蚊取線香支持マット４、及び蓋１５から成る蚊取線香燻煙容器の使用方法を説明すると、図３及び図５に示すように、容器本体１における周壁部３の内側段部７ｂに蚊取線香支持マット４（ネット材５）の周囲の補強用リング部材５ｂを嵌め込んで、容器本体１内に蚊取線香支持マット４を組み込み、当該蚊取線香支持マット４（ネット材５）の上に、着火した渦巻き状の蚊取線香２２を同心状に載置し、この蚊取線香２２の上に蓋１５のネット２１を被せるように、そして各被係止突起２０が容器本体１側の各蓋係止用突条部１０の間に嵌まり込むように、蓋１５の周壁部１８を容器本体１における周壁部３の大径周壁部８の内側に嵌合させる。この状態で容器本体１に対し蓋１５をねじ込み方向に相対的に回転させ、蓋１５側の各被係止突起２０を容器本体１側の各蓋係止用突条部１０の内側（段部７との間）に進入させ、当該蓋係止用突条部１０の螺旋状の湾曲を利用して蓋１５を容器本体１側へ引き込ませ、容器本体１側の蚊取線香支持マット４（ネット材５）と蓋１５側のネット２１との間で、これらネット材５及びネット２１の撓みを利用して蚊取線香２２を挟持固定させれば良い。
【００１２】
上記の蚊取線香燻煙容器は、容器本体１側の吊下用部材９を利用して吊り下げて使用することもできるし、容器本体１における底板部２に一体成形された周方向複数個の低い円形突出脚部２ａを利用して平面上に置いて使用することもできる。何れの場合も、蓋１５の排煙孔１６が他物などで塞がれないように注意しなければならない。
【００１３】
尚、容器本体１に対する蓋１５の係止手段は、上記実施形態の容器本体１側の蓋係止用突条部１０と蓋１５側の被係止突起２０との組み合わせから成る係止手段に限定されるものではない。また、吊下用部材９や円形突出脚部２ａも本発明に必須のものではなく、蓋１５側のネット材２１の取り付け構造も上記実施形態の構造に限定されない。場合によっては、蓋１５側のネット材２１は周辺部に補強用リング材を取り付けて、この蓋１５の内側に単に嵌合して使用するものであっても良い。
【図面の簡単な説明】
【００１４】
【図１】Ａ図は容器本体と蚊取線香支持マットの一部縦断側面図であり、Ｂ図は蚊取線香支持マット（ネット材）の半分を省略した状態での容器本体の正面図である。
【図２】Ａ図はネット材の半分を省略した状態での蓋の正面図であり、Ｂ図は蓋の一部縦断側面図である。
【図３】使用状態を示す一部縦断側面図である。
【図４】使用前の分解状態を示す要部の拡大縦断側面図である。
【図５】使用状態での要部の拡大縦断側面図である。
【符号の説明】
【００１５】
１    容器本体
２    容器本体底板部
３    容器本体周壁部
４    蚊取線香支持マット
５ａ    ネット材
５ｂ    補強用リング部材
６    小径周壁部
７ａ    外側段部
７ｂ    一段低い内側段部
８    大径周壁部
９    吊下用部材
１０    蓋係止用突条部
１５    蓋
１６    排煙孔
１７    蓋天板部
１８    蓋周壁部
１９    張出カーリング部
２０    被係止突起
２１    蓋側のネット
２２    蚊取線香
【図１】
2006314270.tif 000003
【図２】
2006314270.tif 000004
【図３】
2006314270.tif 000005
【図４】
2006314270.tif 000006
【図５】
2006314270.tif 000007